(57)【要約】【課題】複数の紙葉類を束ねた小束を複数束ねた大束に帯を巻く際に紙葉類のめくれを防止することのできる大束帯封機を提供する。【解決手段】大束５が一対の締板７ａ，７ｂによって挟まれている。締板７ｂには、帯供給部１０が設けられている側とは反対側の大束５の端部付近を、紙幣が重ねられる方向に押さえる押さえ板１１が設けられている。押さえ板１１は、締板７ｂに対して回動可能である。弾性部材であるスプリング１２によって、押さえ板１１は、大束５に横帯を巻く際に紙幣の長辺方向と直行する方向に向くようになっている。【選択図】図２
2015171902.tif 000002
【特許請求の範囲】
【請求項１】
複数の紙葉類を束ねた小束を複数束ねた大束に少なくとも１つの第１帯で帯封を行う大束帯封機であって、
前記大束を挟みながら該大束を回転させる一対の締板と、
前記大束を回転させて前記大束に前記第１帯を巻く際に、前記紙葉類が重ねられる方向に前記大束を押さえる少なくとも１つの押さえ板と
を備える大束帯封機。
【請求項２】
前記大束帯封機は、第１帯と該第１帯に交差する少なくとも１つの第２帯とで前記大束に帯封を行い、
前記押さえ板は、前記締板に回動可能に設けられ、前記第１帯を前記大束に巻く際に前記大束を押さえるが前記第２帯を前記大束に巻く際には前記大束に接触せず、
前記第１帯を前記大束に巻いた後、前記大束を回転させて前記第２帯を前記大束に巻く際に、前記第２帯が前記押さえ板を回動させることで、前記第２帯が前記押さえ板を通り越して前記大束に巻かれる、請求項１に記載の大束帯封機。
【請求項３】
前記第２帯が前記押さえ板を回動させた後、前記押さえ板を元の位置に戻すように回動させる弾性部材を備える、請求項２に記載の大束帯封機。
【発明の詳細な説明】
【技術分野】
【０００１】
この発明は大束帯封機に係り、特に、紙幣のような紙葉類の小束をさらに束ねて大束とし、この大束に帯を巻く装置に関する。
【背景技術】
【０００２】
大量の紙幣をまとめるには、通常、１００枚の紙幣を帯で施封して１つの札束（小束）とし、この小束を複数（例えば１０束）束ねて大束としてさらに帯で施封する。大束を帯で施封するには、大束に対して紙幣の長辺方向に横帯を巻いた後、紙幣の短辺方向に縦帯を巻くことにより行われる。横帯及び縦帯を巻くためには、帯を供給しながら大束を回転させる動作が必要である。例えば、特許文献１に記載された従来の大束帯封機では、札乗せテーブル上に複数の小束を乗せて大束とした後、一対のクランプ部材で当該大束を揃えながら挟み、帯を供給しながら、クランプ部材で挟んだ大束を回転させることにより、大束の帯封動作が行われる。
【先行技術文献】
【特許文献】
【０００３】
【特許文献１】特開平８−５８７２３号公報
【発明の概要】
【発明が解決しようとする課題】
【０００４】
しかしながら、一対のクランプ部材は大束の中央部分を挟むので、大束の両端部は広がってしまう。両端部が広がった状態で大束を回転させることにより横帯を巻くと、大束の一方の端部が横帯に接触する際にさらに広がってしまい、紙幣の一部がめくれた状態で横帯が巻かれてしまうことがあるといった問題点があった。
【０００５】
この発明はこのような問題点を解決するためになされたもので、複数の紙葉類を束ねた小束を複数束ねた大束に帯を巻く際に紙葉類のめくれを防止することのできる大束帯封機を提供することを目的とする。
【課題を解決するための手段】
【０００６】
この発明に係る大束帯封機は、複数の紙葉類を束ねた小束を複数束ねた大束に少なくとも１つの第１帯で帯封を行う大束帯封機であって、大束を挟みながら大束を回転させる一対の締板と、大束を回転させて大束に第１帯を巻く際に、紙葉類が重ねられる方向に大束を押さえる少なくとも１つの押さえ板とを備える。
大束帯封機は、第１帯と該第１帯に交差する少なくとも１つの第２帯とで大束に帯封を行い、押さえ板は、締板に回動可能に設けられ、第１帯を大束に巻く際に大束を押さえるが第２帯を大束に巻く際には大束に接触せず、第１帯を大束に巻いた後、大束を回転させて第２帯を大束に巻く際に、第２帯が押さえ板を回動させることで、第２帯が押さえ板を通り越して大束に巻かれてもよい。
第２帯が押さえ板を回動させた後、押さえ板を元の位置に戻すように回動させる弾性部材を備えてもよい。
【発明の効果】
【０００７】
この発明によれば、大束を回転させて大束に第１帯を巻く際に、少なくとも１つの押さえ板が、紙葉類が重ねられる方向に大束を押さえるので、大束に帯を巻く際に紙葉類のめくれを防止することができる。
【図面の簡単な説明】
【０００８】
【図１】この発明の実施の形態に係る大束帯封機の斜視図である。
【図２】この実施の形態に係る大束帯封機の載置空間内の主要部の斜視図であって、大束に横帯を巻く際の当該主要部の斜視図である。
【図３】この実施の形態に係る大束帯封機の載置空間内の主要部の斜視図であって、大束に縦帯を巻く際の当該主要部の斜視図である。
【図４】この実施の形態に係る大束帯封機で大束に横帯を巻く動作を説明するための、載置空間内の主要部の平面図である。
【図５】この実施の形態に係る大束帯封機で大束に横帯を巻く動作を説明するための、載置空間内の主要部の正面図である。
【図６】この実施の形態に係る大束帯封機で大束に横帯を巻く動作を説明するための、載置空間内の主要部の正面図である。
【図７】この実施の形態に係る大束帯封機で大束に横帯を巻く動作を説明するための、載置空間内の主要部の正面図である。
【図８】この実施の形態に係る大束帯封機で大束に縦帯を巻く動作を説明するための、載置空間内の主要部の斜視図である。
【図９】この実施の形態に係る大束帯封機で大束に縦帯を巻く動作を説明するための、載置空間内の主要部の斜視図である。
【図１０】この実施の形態に係る大束帯封機で大束に縦帯を巻く動作を説明するための、載置空間内の主要部の斜視図である。
【発明を実施するための形態】
【０００９】
以下、この発明の実施の形態を添付図面に基づいて説明する。
図１に示されるように、大束帯封機１は筐体２を備えている。筐体２の正面には、紙葉類である紙幣１００枚を帯で施封した１０束の小束４を束ねた大束５が載置される載置空間６が設けられている。載置空間６内には、大束５を挟む一対の締板７ａ，７ｂが設けられている。大束５を載置空間６内に載置するには、下側の締板７ａ上に大束５を載置する。筐体２の上部の後方には、大束５を帯封する帯８のロール９が設けられている。
【００１０】
図２は、後述する動作で大束５に横帯（第１帯）を巻く際に一対の締板７ａ，７ｂが大束５を挟んでいる状態の斜視図を示している。上側の締板７ｂ及び下側の締板７ａは可動であり、締板７ａ上に大束５を載置した後、締板７ｂと締板７ａとが互いに近づくように動くことにより、大束５が一対の締板７ａ，７ｂによって挟まれる。尚、締板７ａ，７ｂにはそれぞれ、紙幣の長辺方向と直行する方向に延びる押さえ部７ａ１，７ｂ１が設けられ、大束５に横帯を巻く際には、これら押さえ部７ａ１，７ｂ１間に大束５が挟まれる。すなわち、押さえ部７ａ１，７ｂ１は、紙幣の長辺方向に関して中央部分において大束５を挟む。一対の締板７ａ，７ｂは、大束５を挟んだ状態で回転可能である。
【００１１】
大束５の一方の端部付近に、ロール９（図１参照）から供給される帯８（図１参照）を供給する帯供給部１０が設けられている。締板７ｂには、帯供給部１０が設けられている側とは反対側の大束５の端部付近を、紙幣が重ねられる方向に押さえる押さえ板１１が設けられている。押さえ板１１は、締板７ｂに対して回動可能である。弾性部材であるスプリング１２によって、押さえ板１１は、大束５に横帯を巻く際に紙幣の長辺方向と直行する方向に向くようになっている。紙幣の大束５は通常、その中央部分を一対の締板７ａ，７ｂで挟むと、両端部が広がってしまう。しかし、締板７ｂに設けられた押さえ板１１が押さえることにより、大束５の端部が広がってしまうのを防止できる。また、締板７ｂには、押さえ部７ｂ１と押さえ板１１との間に、紙幣の長辺方向と直行する方向に延びる帯押さえ板１３が設けられている。
【００１２】
図３は、後述する動作で大束５に縦帯（第２帯）を巻く際に一対の締板７ａ，７ｂが大束５を挟んでいる状態の斜視図を示している。大束５に横帯を巻いた後、手動で大束５を一対の締板７ａ，７ｂから取り外し、９０°回転させた状態で再び締板７ａ上に大束５を載置する。その後、締板７ｂと締板７ａとが互いに近づくように動くことにより、大束５が一対の締板７ａ，７ｂによって挟まれる。この状態では、押さえ板１１は、大束５を押さえておらず、押さえ板１１が帯供給部１０に近づくように回動しても、大束５に接触することはない。
【００１３】
次に、この実施の形態に係る大束帯封機の動作について説明する。最初に、大束５に横帯を巻く動作を説明する。
図４に示されるように、大束５に帯８で横帯を巻くためには、帯供給部１０から供給された帯８が押さえ部７ｂ１の上を通った後に、帯押さえ板１３と大束５との間を通り、帯８の先端が押さえ板１１と帯押さえ板１３との間に位置する状態で、一対の締板７ａ，７ｂで大束５を挟む。帯供給部１０から帯８を供給しながら一対の締板７ａ，７ｂが回転すると、図５に示されるように、大束５に帯８が横帯として巻かれる。尚、図５は、図４の状態に対して大束５が１８０°回転した状態を表している。
【００１４】
図５の状態からさらに９０°超回転した状態が、図６に示されている。図６の状態では、押さえ板１１が位置する大束５の端部に帯８が巻かれようとしているが、仮に押さえ板１１がない場合には、大束５の端部が図６において右側に向かって広がってしまっているので、帯８が巻かれる際に、大束５の当該端部の少なくとも一番上の紙幣がめくれてしまい、紙幣がめくれたまま帯８が巻かれてしまう。しかしながら、この実施の形態では、大束５の端部が広がってしまうのを押さえ板１１が防止しているので、紙幣のめくれを防止しながら、押さえ板１１が位置する大束５の端部に帯８が巻かれる。
【００１５】
図６の状態からさらに回転し、最初の図４の状態に対して３６０°回転した状態が、図７に示されている。この状態では、大束５の周りに帯８が横帯として巻かれており、公知の技術によって、帯８の重なった部分を接着すると共に当該接着部分と帯供給部１０との間で帯８を切断して、大束５への横帯の施封が完了する。
【００１６】
次に、大束５に縦帯を巻く動作を説明する。
横帯が巻かれた大束５を一対の締板７ａ，７ｂの間から引き抜き、図３に示されるように、紙幣の長辺方向と押さえ部７ｂ１の長手方向とが同じ向きになるようにして大束５を締板７ａの上に載置し、締板７ｂと締板７ａとを互いに近づくように動かすことにより、大束５を一対の締板７ａ，７ｂで挟む。この際、大束５に横帯を巻く動作と同様にして、帯供給部１０から供給された帯８（図１参照）が押さえ部７ｂ１の上を通った後に、帯押さえ板１３と大束５との間を通り、帯８の先端が押さえ板１１と帯押さえ板１３との間に位置する状態とする。次に、帯供給部１０から帯８を供給しながら一対の締板７ａ，７ｂを回転させることにより、大束５の周りに、横帯と直交する方向に帯８が縦帯として巻かれていく。
【００１７】
図３の状態から２７０°超回転した状態が、図８に示されている。この状態では、帯供給部１０から供給された帯８が押さえ板１１に当たり、図８の状態からさらに回転していくと、押さえ板１１が回動する。図９に示されるように、押さえ板１１が締板７ｂに重なるまで回動することにより、帯８は押さえ板１１を通り越して、大束５に巻かれていく。帯８が押さえ板１１を通り越すと、図１０に示されるように、押さえ板１１はスプリング１２によって元の位置に戻るように回動する。その後、公知の技術によって、帯８の重なった部分を接着すると共に当該接着部分と帯供給部１０との間で帯８を切断して、大束５への縦帯の施封が完了する。
【００１８】
このように、大束５を回転させて大束に帯８を横帯として巻く際に、押さえ板１１が、紙幣が重ねられる方向に大束５を押さえるので、大束５に帯８を巻く際に紙幣のめくれを防止することができる。
【００１９】
この実施の形態では、大束５に横帯と縦帯とを巻いていたが、横帯だけを巻く形態でもよい。この場合には、押さえ板１１は、締板７ｂに対して回動可能でなくてもよい。また、押さえ板１１は１つだけしか設けられていないが、２つ以上設けてもよい。さらに、この実施の形態では、横帯及び縦帯をそれぞれ１巻ずつ大束に巻いていたが、この形態に限定するものではない。横帯及び縦帯それぞれを２巻以上ずつ巻く形態でもよい。
【００２０】
この実施の形態では、小束４及び大束５を構成する紙葉類は紙幣であったが、これに限定するものではない。薄い板状のものを重ねて束にできるものであれば、どのようなものであってもよい。
【符号の説明】
【００２１】
１  大束帯封機、４  小束、５  大束、７ａ，７ｂ  締板、８  帯（第１帯，第２帯）、１１  押さえ板、１２  スプリング（弾性部材）。
【図１】
2015171902.tif 000003
【図２】
2015171902.tif 000004
【図３】
2015171902.tif 000005
【図４】
2015171902.tif 000006
【図５】
2015171902.tif 000007
【図６】
2015171902.tif 000008
【図７】
2015171902.tif 000009
【図８】
2015171902.tif 000010
【図９】
2015171902.tif 000011
【図１０】
2015171902.tif 000012